(57)【要約】【課題】通常の生活をしていても常に肛門および肛門の周辺にあるツボおよび／または肛門括約筋を押圧するようにして刺激することができると共に、万が一失禁をしてしまった場合であっても、後処理の負担を大幅に軽減することが可能な失禁防止用品を提案する。【解決手段】肛門を押圧する押圧体３０と、肛門が押圧体３０により押圧された状態に保持する押圧体保持部２０を有し、押圧体３０は、排泄物を吸収可能な吸収体により形成されていることを特徴とする失禁防止用品１０である。【選択図】図１
2008099719.tif 000002
【特許請求の範囲】
【請求項１】
肛門を押圧する押圧体と、肛門が前記押圧体により押圧された状態に保持する押圧体保持部を有し、
前記押圧体と前記押圧体保持部は可燃物により形成されていることを特徴とする失禁防止用品。
【請求項２】
前記押圧体保持部は、粘着シートであることを特徴とする請求項１記載の失禁防止用品。
【請求項３】
前記粘着シートには、粘着シートの重複部を形成するための折り曲げ線が設けられていることを特徴とする請求項１または２に記載の失禁防止用品。
【請求項４】
前記押圧体および前記押圧体保持部は、トイレットペーパーを圧縮成形したものであることを特徴とする請求項１〜３のうちのいずれか一項に記載の失禁防止用品。
【発明の詳細な説明】
【技術分野】
【０００１】
本発明は失禁防止用品に関し、より詳細には、押圧体により肛門括約筋を加圧した状態を維持することで肛門括約筋の力を補って失禁を防止し、肛門括約筋を加圧することにより、肛門括約筋を活性化することが可能な失禁防止用品に関する。
【背景技術】
【０００２】
肛門括約筋を活性化させる肛門およびその周辺のツボを刺激する刺激具としては、例えば特許文献１のようなものがある。特許文献１においては、板面部に板面部より隆起した突出部により構成され、突出部が肛門に当たるようにして刺激具の上に腰掛けて用い、肛門およびその周辺のツボを刺激するというものである。
【特許文献１】特開２００５−３０４９８１号公報
【発明の開示】
【発明が解決しようとする課題】
【０００３】
特許文献１に記載されている刺激具は、体重を利用して肛門およびその周辺のツボを刺激することは可能であるが、使用中に失禁をしてしまった際には下着の交換や刺激具の洗浄等が必要になり煩雑である。
また、ツボの刺激は刺激具の上に腰掛けた場合にのみであるため、通常の生活においてはツボを刺激する時間に制約が生じ、ツボを活性化させるまでに時間がかかってしまうといった課題もある。
【０００４】
本発明は、通常の生活をしていても常に肛門および肛門の周辺にあるツボおよび／または肛門括約筋を押圧することにより肛門括約筋の衰えを補助し、失禁を防止すると共に、肛門括約筋を押圧体により刺激することにより、肛門括約筋を活性化させ、失禁を防止することが可能になる失禁防止用品の提案を目的としている。
【課題を解決するための手段】
【０００５】
本発明は、肛門を押圧する押圧体と、肛門が前記押圧体により押圧された状態に保持する押圧体保持部を有し、前記押圧体と前記押圧体保持部は可燃物により形成されていることを特徴とする失禁防止用品である。
【０００６】
また、前記押圧体保持部は、粘着シートであることを特徴とする。
この場合、やわらかい粘着シートを採用すれば粘着シートを臀部形状に倣って貼着することができ、押圧体が肛門括約筋を押圧した状態を維持しやすく、簡単に失禁防止用品を装着することができる。また、肛門括約筋を押圧することにより得られる引き締まり感を好適に維持することができる。
【０００７】
また、前記粘着シートには、粘着シートの重複部を形成するための折り曲げ線が設けられていることを特徴とする。これにより、粘着シートの粘着面どうしを対向させた状態で貼り付けることにより粘着テープを剥がす際に必要なつまみ部分を容易に形成することができ、不要になった失禁防止用品の取り外しを短時間で行うことができる。
【０００８】
また、前記押圧体および前記押圧体保持部は、トイレットペーパーを圧縮成形したものであることを特徴とする。これにより、取り外した失禁防止用品を直接トイレに流して処理することができるため、失禁防止用品の後処理に要する手間を大幅に軽減させることができ、取り扱いが容易である。
【発明の効果】
【０００９】
本発明によれば、日常生活に支障を与えることなく失禁防止用品を装着することができるので、肛門括約筋および／または肛門周辺のツボを常時押し上げるようにして刺激することができ、肛門括約筋の衰えを好適に補助することができる。
また、肛門括約筋および／または肛門周辺のツボを常時刺激する状態にあるので、短期間で肛門括約筋を活性化させ、肛門括約筋の機能を早期に回復させることができる。
【発明を実施するための最良の形態】
【００１０】
以下、添付図面に基づいて本発明にかかる失禁防止用品の実施の形態について説明する。図１は本実施の形態にかかる失禁防止用品の斜視図である。図２は本実施の形態にかかる失禁防止用品の使用状態における底面図である。
本実施の形態における失禁防止用品１０は、片側面が粘着面である粘着シートよりなる押圧体保持部２０とトイレットペーパーを圧縮成形した押圧体３０とにより構成されている。
【００１１】
押圧体保持部２０は、押圧体３０を肛門括約筋に押圧させた状態を保持するためのものであり、押圧体３０に対して取り外し可能に設けられている。本実施の形態における押圧体保持部２０には医療用の紙製粘着シートが用いられている。医療用の紙製粘着シートを押圧体保持部２０に用いれば粘着シートの貼着部分の皮膚がかぶれにくくなるとともに、使用後に押圧体３０を押圧体保持部２０に包んで焼却廃棄することができる。
また、押圧体保持部２０は、トイレットペーパーを圧縮してシート状に形成し、片側面に植物性の糊からなる粘着面を有する粘着シートにすれば、使用後にトイレに流して廃棄することができるため更に好適である。
【００１２】
本実施の形態における医療用の紙製粘着シート（以下、単に粘着シートということがある）からなる押圧体保持部２０は、図１に示すように、楕円状に形成されている。短径Ｄ１の寸法は約８０ｍｍ、長径Ｄ２の寸法は１２０ｍｍである。また、押圧体保持部２０を臀部への装着する側の面（粘着面）には剥離紙２２が取り付けられている。剥離紙２２には切断線２４が形成され、使用時に切断線２４を起点として簡単に剥離紙２２を取り外すことができる。また、押圧体保持部２０の長手方向の端部には折り曲げ線２６が設けられている。剥離紙２２を取り外した後、折り曲げ線２６部分で押圧体保持部２０を折り曲げて粘着面どうしを貼り付けて重複部分２８を形成することができる。重複部分２８は失禁防止用品１０を取り外す際のつまみ部分として用いることができる。
【００１３】
肛門括約筋および／または肛門周辺に存在する肛門括約筋のツボに押し付けるようにして刺激する押圧体３０として、本実施の形態では、直方体形状に圧縮成形したトイレットペーパーが用いられている。本実施の形態における押圧体３０の寸法は、縦Ｌが２５ｍｍ、横Ｗが３５ｍｍ、高さＨが２５ｍｍに形成されている。
先述のように押圧体保持部２０がトイレットペーパーにより形成されていれば、使用後の失禁防止用品１０をトイレに流して処理することができ、後処理を非常に容易に行えるため好都合である。
【００１４】
本実施の形態にかかる失禁防止用品１０は、押圧体保持部２０である粘着シートに貼付されている剥離紙２２を取り外して重複部分２８を形成した後、押圧体３０により肛門括約筋および／または肛門周辺の肛門括約筋のツボを押すようにして臀部にセットした後、粘着シートを臀部に貼り付けることにより装着する。失禁防止用品１０を装着した後は、通常通りの生活をすることができる。
【００１５】
押圧体保持部２０と押圧体３０により肛門括約筋および／またはツボを常時押圧していることによって肛門括約筋の締め付ける力が補助されるので、失禁を防止することができる。また、肛門括約筋および／または肛門括約筋の周辺にあるツボが押圧体保持部２０と押圧体３０により刺激され、肛門括約筋の本来の機能を回復させることができ、健康的な生活を送ることが可能になる。
しかも、本実施の形態にかかる失禁防止用品１０のすべての構成材料を皮膚かぶれ等が発生しにくい素材により形成すれば、失禁防止用品１０を装着した際の違和感が無く、日常生活において失禁防止用品１０を常時装着することができる。したがって肛門括約筋の機能を短期間で回復させることができる。
また、肛門括約筋およびその周辺を押圧することにより、お尻周りが引き締まったような感覚が得られるので快感である。
【００１６】
以上の実施の形態においては、押圧体保持部２０として、医療用紙製粘着シートやトイレットペーパーによる成形品を用いているが、押圧体保持部２０は、押圧体３０により肛門括約筋および肛門括約筋の周辺部分が押圧した状態を維持することができればいずれの公知の手段を採用することができる。例えば、押圧体３０による肛門括約筋を押圧した状態を保持するために、紐やベルトのような長尺薄片を用いる形態を採用することも可能である。
【００１７】
また、本実施の形態における押圧体３０には、トイレットペーパーを単に圧縮成形したものを採用しているがトイレットペーパー以外の材料により押圧体３０を形成しても良いのはいうまでもない。
また、押圧体３０は本実施の形態で説明した寸法以外の寸法であっても良いのはもちろんである。また、押圧体３０を直方体形状以外の形状に形成することもできる。複数種類の形状および複数種類の寸法を有する押圧体３０を提供することにより、使用者は、自分の体型に適した形状および寸法の押圧体３０を選択することができるため更に使い勝手の良い失禁防止用品１０を提供することが可能になる。
【００１８】
以上に説明したように、本願発明にかかる失禁防止用品１０を装着していれば、失禁のおそれはないものといえる。万が一、失禁防止用品１０を装着した状態でありながらも失禁をしてしまったとしても、大きめの押圧体３０を用いていれば汚物を押圧体３０に吸収させることも可能ではあるので、下着を汚してしまうことが無いため使用者にとっては非常に安心である。
尚、失禁防止用品１０を装着中にガスが出ることになっても、粘着シートを臀部に貼着した際に生じるしわの部分からガスが適宜排出されるため、不快にはならない。
【図面の簡単な説明】
【００１９】
【図１】本実施の形態にかかる失禁防止用品の斜視図である。
【図２】本実施の形態にかかる失禁防止用品の使用状態における底面図である。
【符号の説明】
【００２０】
１０  失禁防止用品
２０  押圧体保持部
２２  剥離紙
２４  切断線
２６  折り曲げ線
２８  重複部分
３０  押圧体
【図１】
2008099719.tif 000003
【図２】
2008099719.tif 000004